Podtech/llm-jp-corpus-v4-ja_patent huggingface dataset:
(57)【要約】【課題】リサイクルが簡便にできる注射器を提供する。【解決手段】各部分が同一の材質で作られた注射針と、前述の注射針を可動及び固定出来る機構を構成としたことを特徴とする、注射器。【選択図】　図１
2004089651.tif 000002
【特許請求の範囲】
【請求項１】
穿刺用部分から、ｓｙｒｉｎｇｅ連結部分との着脱用部分までが同一の材質の物質で構成されたことを特徴とする、注射針。
【請求項２】
請求項１の注射針可動用機構及び、注射針固定用機構を構成としたことを特徴とする、注射針着脱用装置。
【発明の詳細な説明】
【０００１】
【発明の属する技術分野】
この発明は、リサイクルが簡便に出来る注射器に関するものである。
【０００２】
【従来の技術】
従来の注射針は、穿刺用部分とｓｙｒｉｎｇｅ連結部分との着脱用部分が金属とプラスチックなど、異なった材質の物質で構成されていた。
【０００３】
【発明が解決しようとする課題】
従来の技術では次の様な欠点があった。
イ．注射針の、穿刺用部分とｓｙｒｉｎｇｅ連結用部分との着脱用部分が異なった材質で構成されていた為に、注射針をそのまま熔解して再利用できなかった。ロ．再利用の方法によっては、プラスチックの部分の色が変色したりして利用者には見栄えが悪く見える物もあった。
本発明は上記したの欠点を解決する注射器を提供することを目的とする。
【０００４】
【課題を解決する為の手段】
上記目的を解決する為に、この発明の注射針は、穿刺用部分から、ｓｙｒｉｎｇｅ連結部分との着脱用部分までが同一の材質の物質で構成されたことを特徴とする。
この発明の注射針着脱用装置は、請求項１の注射針可動用機構及び、注射針固定用機構を構成としたことを特徴とする。
【０００５】
【作用】
この発明の注射針は、穿刺用部分から、ｓｙｒｉｎｇｅ連結部分との着脱用部分までが同一の材質の物質で構成される為に、注射針を熔解させても同じ物質の注射針を作ることが出来る。又、この発明の注射針着脱用装置は、注射針の着脱用装置自体に、注射針の可動及び固定用の機構を構成とする為に、注射針自体に触れることなくｓｙｒｉｎｇｅから注射針をはずすことができる。
【０００６】
【実施例】
図１は、本発明の注射針一例を示し、１は穿刺用部分付近で、２はｓｙｒｉｎｇｅ連結部分との着脱用部分である。２の形状は、１から２の方向に部分的に分割しその分割部分を広げた物や、凹凸を２の部分に設けた物などその種類は限定されない。この注射針の構成物質が同一の材質の物であれば、注射針の形態や材質や構造などの種類は、限定されない。
図２は、本発明の注射針部分一例を示し、２’は２がｓｙｒｉｎｇｅ連結部分を包囲し着脱するｓｙｒｉｎｇｅ連結部分との着脱用部分であり、従来のタイプの注射針の穿刺用部分とｓｙｒｉｎｇｅ連結部分との着脱用部分が同一の材質の物になった注射針部分である。注射針のｓｙｒｉｎｇｅ連結部分との着脱用部分は着脱用の装置などを利用して連結しても、注射針がｓｙｒｉｎｇｅに着脱できる部分を構成としてもその種類は限定されない。
図３は、ｓｙｒｉｎｇｅ連結部分一例であり、３はｓｙｒｉｎｇｅ又はｓｙｒｉｎｇｅへの着脱部分であり、４は矢印の方向に可動することにより、５の注射針可動固定用部分を矢印方向に開閉させる為のロックが出来る開閉用スイッチである。３はｓｙｒｉｎｇｅに直接構成されても、着脱する様に別設で構成されてもその種類は限定されない。又５は５’の注射針に密着し２付近にストッパーの役目をする段差の構造や、５”の５を開いた時に注射針の後ろを押して注射針が離れやすくする為の構造を構成とするが、前述の注射針の可動や固定が出来る構造の物であれば、その形態や材質や構造や５の個数などの種類は限定されない。着脱の方法やそれに用いる物の種類は限定されない。
以上実施多例につき説明したが、この発明は次の様な実施態様をとることができる。
（１）注射器の種類は限定されない。
（２）本発明の注射針や注射針着脱用装置の、形態や材質や構造などその種類は限定されない。
（３）本発明の注射針や注射針着脱用装置と他の装置との組み合わせなど、その種類は限定されない。
【０００７】
【発明の効果】
本発明を使用することにより、注射針が同一の物質で構成されることにより、注射針を熔解させ易くなり、手で注射針を直接触れなくても注射針をはずすことができるようになる。
【図面の簡単な説明】
【図１】本発明の注射針の側面図一例
【図２】本発明の注射針部分の側面図一例
【図３】本発明のｓｙｒｉｎｇｅ連結部分の側面図一例
【符号の説明】
１…注射針穿刺用部分付近　　　２…ｓｙｒｉｎｇｅ連結部分との着脱用部分
３…ｓｙｒｉｎｇｅ又はｓｙｒｉｎｇｅへの着脱部分　　　４…開閉用スイッチ
５…注射針可動固定用部分　　　５’、５”…５の注射針付近の構造
【図１】
2004089651.tif 000003
【図２】
2004089651.tif 000004
【図３】
2004089651.tif 000005
(57)【要約】【課題】ハンガースタンド台に着る、履く、締める、付ける物を一式簡単ワンタッチに整理整頓ができるワンタッチ洋服ハンガーを課題提供することにある。【解決手段】スタンド台本柱の上部先端に、平行腕柱を設け、両先端部にハンガーを設け平行腕柱の上部に箱ボックスも取付ける本柱上部に突設ワンタッチ洋服ハンガーを設けることと、その両端にも突設腕柱を設けて解決手段とし、提供することにある。【選択図】　　図１
2004089658.tif 000002
【特許請求の範囲】
【請求項１】
スタンド基台に本柱を設け、本柱は伸縮でき、本柱上部、先端部に平行腕柱を設け、平行腕柱の両先端部にハンガーを設け、本柱上部にワンタッチ挟み付けハンガーを設けたことを特徴とするワンタッチ洋服ハンガー。
【請求項２】
スタンド基台の本柱先端部平行腕柱の上部に箱ボックスを設けたことと、ワンタッチ挟み付けハンガーの両端に突設腕柱を設けたことを特徴とする請求項１記載とワンタッチ洋服ハンガー。
【請求項３】
本柱上部に設けられるワンタッチハンガーは、挟み付け吊り下げる構造ハンガーで、受け止め盤と押し付け盤からなり、両先端内側に滑り止めゴム等を張り付ける開閉部は蝶番構造で、下部にスプリングを設けたことを特徴とする請求項１記載、請求項２記載とワンタッチ洋服ハンガー。
【発明の詳細な説明】
【０００１】
【発明の属する技術分野】
本発明は洋服ハンガーに関する。
【０００２】
【従来の技術】
従来に色々なハンガーは知られているが、上着、ズボン、ワイシャツ、ネクタイ、ネクタイピン、ボタン等が一同に簡単に整理整頓できるハンガーは知られていないため不便と不満がある。
【０００３】
【発明が解決しようとする課題】
上着、ズボン、ワイシャツ、ネクタイ、ネクタイピン、ボタン等を別々に整理することで、使用時、不明品が出て、混乱が発生する事が多いためと、ズボン等は簡単ワンタッチ挟み付けられるハンガーを課題提供することにある
。
【０００４】
【課題を解決するための手段】
前述した目的を達成するために、本発明請求項１記載、請求項２記載、請求項３記載、スタンド基台本柱上部に平行腕柱を設け、両端に上着、ワイシャツを掛けるハンガーを設けられる。その下部に突設ワンタッチ挟み付け、ズボン用ハンガーを設けたことと、両端に突設腕柱を設け、ネクタイを掛けることと、スタンド基台本柱上部平行腕柱の上部、箱ボックスを取付、ネクタイピン、ボタン等を入れ、一台のワンタッチ洋服ハンガー台に整理整頓でき
ることを解決手段として提供することにある。
【０００５】
【実施例】
本発明は図１、図２に示すようにワンタッチ洋服ハンガーは下部に足固定盤を設け、盤（台）の上に伸縮できる中空管本柱からなり、上部先端部に平行腕柱を取付、両先端部に上着、ワイシャツの掛けられるハンガーを取付ける平行腕柱の上部に箱ボックス取付、ネクタイピン、ボタン等を内蔵する。平行腕柱の下部本柱前方に突設ワンタッチで挟み付け下げられるハンガーも設ける。その両端にネクタイ掛け腕柱を設けて、ワンタッチ洋服ハンガーの実
施例となる。
【０００６】
ズボン挟み付け吊り下げハンガーは受け止め盤と押し付け盤の下部先端部内両面に滑り止めゴム等を張り付けられる開閉構造蝶番式で、下部スプリングを設けることで開き時は上方に押し付け、閉じる時は下に押し付けることで
ワンタッチハンガーの役割ができる。
【０００７】
【発明の効果】
本発明は以上説明したように構成されているので以下に記載されるように効果奏できる。
（１）着る、履く、締める、付ける物を一同に、一台のワンタッチ洋服ハンガー本体に整理整頓することで便利で時間の節約ができる。
（２）ズボンは吊り下げることでシワが付かない。
【図面の簡単な説明】
【図１】本発明のワンタッチ洋服ハンガーの全体の正面工程図である。
【図２】本発明、ワンタッチ挟み付けハンガー部の工程図である。
【符号の説明】
１　　　　スタンド基台
２　　　　本柱中空管使用伸縮構造
３　　　　平行腕柱
４　　　　ハンガー
５　　　　ワンタッチ挟み付けハンガー及び受け止め盤
６　　　　押し付け盤
７　　　　滑り止めゴム
８　　　　スプリング
９　　　　ネクタイ掛け腕柱
１０　　　　箱、ボックス
１１　　　　蝶番（開閉器具）
１２　　　　取　手
【図１】
2004089658.tif 000003
【図２】
2004089658.tif 000004
(57)【要約】【課題】ニギリカップが手からのエネルギーを、十分に合金繊維タワシに伝えので、軽い力でよごれを良くおとせる合金繊維タワシを提供する。【解決手段】合金繊維タワシ（２）をタワシ押え（３）でつつみ、口を外に広げてヘリ（４）をつけた、ニギリカップ（１）にはめ込んで使用することを特徴とする。【選択図】　図１
2004089671.tif 000002
【特許請求の範囲】
【請求項１】
繊維状の合金をボール状にまとめ合金繊維タワシ（２）をつくり、それをタワシ押え（３）でつつむ。合成樹脂で底面が楕円形のカップをつくり、その口の部分を外側に広げてヘリ（４）を形成し、合金繊維タワシのニギリカップ（１）をつくる。ニギリカップ（１）に、タワシ押え（３）でつつんだ合金繊維タワシ（２）をはめ込んで使用する、ニギリカップ付合金繊維タワシ。
【発明の詳細な説明】
【０００１】
【発明の属する技術分野】
この発明は、タワシ押えでつつんだ合金繊維タワシをニギリカップにはめ込んで使用する、ニギリカップ付合金繊維タワシに関するものである。
【０００２】
【従来の技術】
従来、スチールウールなどをゴム手袋をして、使用した。
【０００３】
【発明が解決しようとする課題】
これには次のような欠点があった。
（イ）　スチールウールを指先で強くつかんでこすらなければならず、指が大変疲れる。
（ロ）　隅にくい込んだよごれをとる時はつめの先でスチールウールを押しながらこすらなければならず、つめがはがれそうになる。
（ハ）　スチールウールは１回使うと、すぐサビが出てよごれのもとになる。
【０００４】
【課題を解決するための手段】
合金繊維タワシ（２）をタワシ押え（３）でつつみ、外に広げてヘリ（４）をつけたニギリカップ（１）にはめ込んで使用する。本発明は、以上のような構成より成る、ニギリカップ付合金繊維タワシである。
【０００５】
【発明の実施の形態】
以下、本発明の実施の形態について説明する。
（イ）　合金繊維タワシ（２）をタワシ押え（３）でつつみ、それを合成樹脂製で、口を外に広げてヘリ（４）をつけた、ニギリカップ（１）にはめる。
本発明は以上のような構造で、これを使用するときは、手でニギリカップ（１）をつかみ、合金繊維タワシ（２）の部分をよごれにあてて、こすればよい。よごれが強いときは、ニギリカップのヘリ（４）に力が加わるようにして、こすると良くとれる。隅のよごれは、ヘリ（４）をさし込んでこすりとる。
【０００６】
【発明の効果】
手全体の力でよごれをこすりとることができて、指先などが疲れずにすむ。隅のよごれはヘリを使ってとるから、爪を使わないですむ。合金でサビも出ない。
【図面の簡単な説明】
【図１】本発明の斜視図である。
【図２】本発明の、合金繊維タワシをタワシ押えでつつんだものの斜視図である。
【図３】本発明を半分に割った状態の側面図である。
【図４】本発明の、ニギリカップの斜視図である。
【符号の説明】
１　ニギリカップ
２　合金繊維タワシ
３　タワシ押え
４　ヘリ
【図１】
2004089671.tif 000003
【図２】
2004089671.tif 000004
【図３】
2004089671.tif 000005
【図４】
2004089671.tif 000006
(57)【要約】【課題】肘受けを可動とし、該肘受けによって乗降時の動作を案内して、老人や身体不自由者が容易に乗り降りすることができるようにした。【解決手段】肘受け１６が図１（Ａ）に示す位置にある状態で、患者は、歯科治療を受ける。歯科治療が終了すると、図１（Ｂ）に示す位置、すなわち、図１（Ａ）の位置に対して前方上方の患者が乗降しやすい位置に移動する。この時、患者は、手又は腕を肘受け１６の上に重ねて力を加えていれば、肘受け１６の移動と共に、身体も持ち上がり、かつ、前方へ移動し、椅子への乗降位置まで運ばれる。治療椅子に乗る時は、逆に、肘受け１６を、最初に、図１（Ｂ）の位置まで移動しておき、この状態で、患者は、椅子に対して、後向きに肘受け１６に手或いは腕を乗せて力を入れ、その状態で、肘受け１６を図１（Ａ）の位置まで移動する。【選択図】　　　　図１
2004089290.tif 000002
【特許請求の範囲】
【請求項１】
肘受けを有し、該肘受けが歯科治療時における基準位置と、乗降時における前方上方位置との間で移動可能であることを特徴とする歯科治療椅子。
【請求項２】
前記歯科治療椅子はフットレストを有し、該フットレスト上に回転板が設けられていることを特徴とする請求項１に記載の歯科治療椅子。
【発明の詳細な説明】
【０００１】
【発明の属する技術分野】
本発明は、歯科用治療椅子、より詳細には、老人や身体不自由者が容易（楽）に乗降することのできる歯科用治療椅子に関する。
【０００２】
【従来の技術】
図２は、本発明が適用される歯科治療椅子の一例を説明するための要部構成図で、図中、１０は歯科治療椅子で、該歯科治療椅子１０は、安頭台１１、バックレスト１２、コンターシート１３、レッグレスト１４、フットレスト１５、肘受け１６等とから成り、周知のように、歯科治療に当たり、患者は椅子に座り、頭を安頭台１１に固定し、肘を肘受け１６の上に乗せた状態で治療を受ける。治療中、術者は治療椅子を上下動、起倒、傾斜動等させて、患者を治療しやすい姿勢にして治療を行う。
【０００３】
【発明が解決しようとする課題】
しかし、上述のごとき従来の歯科治療椅子においては、老人や身体不自由者は、椅子に乗る際は、通常、バッグレスト１２の方に向き、肘受け１６に掴まった状態で、フットレスト１５の上に乗り、該フットレスト１５の上で、足の向き（身体の向き）を変えて、コンターシート１３の上に座る（腰掛ける）等しており、また、降りる際は、その逆に、フットレスト１５の上で、肘受け１６の助けをかりて身体の向きをバックレスト１２側に向け、その状態で、すなわち、後ろ向きの状態で、フットレスト１５から降りる等しているが、老人や身体不自由者にとって、肘受けの位置が遠く、治療椅子への乗り降りが大変であった。
【０００４】
本発明は、上述のごとき実情に鑑みてなされたもので、特に、肘受けを可動とし、該肘受けによって乗降時の動作を案内して、老人や身体不自由者が容易に乗り降りすることができるようにした歯科治療椅子を提供することを目的としてなされたものである。
【０００５】
【課題を解決するための手段】
請求項１の発明は、肘受けを有し、該肘受けが歯科治療時における基準位置と、乗降時における前方上方位置との間で移動可能であることを特徴とし、もって肘受けによって治療椅子への乗降を手助けするようにし、老人や身体不自由者が容易に乗り降りできるようにしたものである。
【０００６】
請求項２の発明は、請求項１の発明において、前記歯科治療椅子はフットレストを有し、該フットレスト上に回転板が設けられていることを特徴とし、もって患者の向きを自由に変えられるようにしたものである。
【０００７】
【発明の実施の形態】
図１は、本発明による歯科治療椅子の一実施例を説明するための要部概略斜視図で、図１（Ａ）は肘受け１６が治療時の位置（基準位置）にある時の図、図１（Ｂ）は肘受け１６が、患者が治療椅子に乗り降りする時の位置にある時の図で、図中、図２に示した従来の歯科治療椅子と同様の作用をする部分には図２の場合と同一の参照番号が付してある。而して、本発明において、肘受け１６は移動可能に構成されており、歯科治療中は、従来の歯科治療椅子と同様に、図１（Ａ）にて示す位置（基準位置）にあり、患者は、この状態で歯科治療を受ける。歯科治療が終了すると、図１（Ｂ）にて示す位置、すなわち、図１（Ａ）に示した基準位置に対して前方上方の、患者が乗降しやすい位置に移動する。この時、患者は、手又は腕を肘受け１６の上に乗せて力を加えていれば、肘受け１６の移動と共に、身体も持ち上がり、かつ、前方へ移動し、椅子への乗降位置まで運ばれる。治療椅子に乗る時は、逆に、肘受け１６を、最初に、図１（Ｂ）に示す位置まで移動しておき、この状態で、患者は、椅子に対して、後向きに肘受け１６に手或いは腕を乗せて力を入れ、その状態で、肘受け１６を図１（Ａ）に示す位置まで移動すると、患者は、楽に、治療椅子に腰掛けることができる。なお、肘受け１６の移動は、電動式又は油圧式にし、患者が肘受けに力を加えても、その力によっては、肘受けが移動しないようになっている。
【０００８】
更に、フットレスト１５の上には、回転板１７が配設されており、治療椅子の肘受け１６を図１（Ｂ）に示す状態にし、この状態で、患者は治療椅子に向った状態で（つまり、治療椅子に向って前進する状態で）回転板１７に乗ることができ、その後に、回転板１７を回転すると、患者の向きが逆になり、患者は、その状態で肘受け１６の助けをかりて治療椅子に腰掛けることができる。
【０００９】
【発明の効果】
以上の説明から明らかなように、本発明によると、肘受けの移動によって、患者が治療椅子へ乗る時、及び、治療椅子から降りる時の動作を助けるようにしたので、老人や身体不自由の人でも、容易に、治療椅子に乗り降りすることができる。更には、治療椅子の乗り降りに際し、患者の向きを自由に変え、治療椅子への乗り降りを更に楽にすることができる。
【図面の簡単な説明】
【図１】本発明による歯科用治療椅子の一実施例を説明するための要部概略斜視図で、図１（Ａ）は治療時における状態を示す図、図１（Ｂ）は乗降時における状態を示す図である。
【図２】従来の歯科用治療椅子の一例を説明するための図である。
【符号の説明】
１０…歯科治療椅子、１１…安頭台、１２…バックレスト、１３…コンターシート、１４…レッグレスト、１５…フットレスト、１６肘受け、１７…回転板。
【図１】
2004089290.tif 000003
【図２】
2004089290.tif 000004
(57)【要約】【課題】理美容院等で使用する頭髪を促進処理する際に使用する頭髪処理促進装置の本体の内部に毛髪が入っても内部底面に蓄積しないように、また毛髪が内部に侵入しても、外部から容易に掃除ができるようにする。【解決手段】被施術者の頭髪を促進処理する頭髪処理促進装置本体の外装カバー１内部底面を外方から内方にかけて傾斜部１ｃを設けるとともに、底面中央部に開口部１ｄを設ける。また、前記傾斜部に頭髪が付着しないように適宜間隔で突起部１ｅを設ける。【選択図】　　　　　図２
2004089306.tif 000002
【特許請求の範囲】
【請求項１】
被施術者の頭髪の処理を促進する頭髪処理促進装置において、装置本体の外装カバー内底面部に外方から内方にかけて傾斜部を設けるとともに、底面中央部に開口部を設けたことを特徴とする頭髪処理促進装置における外装カバー構造。
【請求項２】
前記外装カバー内底面部に設けられる傾斜部に、適宜間隔で突起部を設けたことを特徴とする請求項１記載の頭髪処理促進装置における外装カバー構造。
【発明の詳細な説明】
【０００１】
【発明の属する技術分野】
本発明は、トリートメント、パーマおよびヘアダイ等の頭髪処理を行う際に使用する頭髪処理促進装置の枠体内に毛髪が付着、蓄積しないように、また強度をもたせたせるようにした頭髪処理促進装置の外装カバー構造に関する。
【０００２】
【従来の技術】
トリートメント、パーマおよびヘアダイ等の頭髪処理を行う、例えば、蒸気を頭髪に供給するまたヒータや遠赤外線等を照射する等の際には、事前に頭髪カットなどが行われ、細かい毛髪が被施術者の身体に付着した状態で頭髪処理促進装置を使用する。なお、フード式のものについてはフード内に頭部を挿入してトリートメントを行っている。
【０００３】
従来、この種の頭髪処理促進装置は、図５に示すように、装置本体の外装カバー１は、カバー１ａおよび１ｂをネジ等で接合されて形成しているが、この外装カバー１の内部は密閉され、内部底面は水平面となっている。
【０００４】
【発明が解決しようとする課題】
ところで、前記した外装カバーでは、内部が密閉され、且つ内部底面は水平面になっているため、被施術者の身体に付着した細かい毛髪が前記した頭髪処理促進装置の外装カバー内部に入り込み底部に付着する、また従来のものでは密閉されているため、毛髪が外装カバー内部に蓄積して、外装カバー内部に組み込まれる回路基板やその他の電装部品等にこびり付くなどの問題点があった。
【０００５】
また、濡れた毛髪などが蓄積した場合などは、回路基板やその他の電装部品等に影響を及ぼす、また衛生面においても好ましくないものであった。
さらにはメンテナンスを行う際には、外装カバーを取り外して蓄積した毛髪を除去しなければならない、また毛髪が固まっている時などは、掃除をしても毛髪等がこびり付いてなかなか取れない等の問題があった。
さらには本体が強固な物に当たった場合などは、外装カバーが簡単に割れるなどの問題があった。
【０００６】
本発明は前記した問題を解決せんとするもので、その目的とするところは、外装カバー内部に毛髪が入っても内部に蓄積しないように、また毛髪が内部に侵入しても、外部から容易に掃除メンテナンスができ、且つ堅固な頭髪処理促進装置における外装カバー構造を提供せんとするものである。
【０００７】
【課題を解決するための手段】
本発明のフード式頭髪処理促進装置における外装カバー構造は前記目的を達成せんとするもので、その手段は、被施術者の頭髪の処理を促進する頭髪処理促進装置において、装置本体の外装カバー内底面部に外方から内方にかけて傾斜部を設けるとともに、底面中央部に開口部を設ける。
また前記外装カバー内底面部に設けられる傾斜部に、適宜間隔で突起部を設ける。
【０００８】
【発明の実施の形態】
以下、本発明にかかる頭髪処理促進装置における外装カバー構造の一実施の形態を図面とともに説明する。なお、本発明の実施の形態ではフード式の頭髪処理促進装置で説明する。
【０００９】
図１より、フード式頭髪処理促進装置の構成を説明すると、１は外装カバーであり、カバー１ａおよび１ｂを取り外しできるようにネジ等で取付けるようになっている。２は水タンクであり、３は操作盤、４は被施術者が頭髪を挿入するためのフードである。
【００１０】
本装置は、前記水タンク２からの水を本体内部に組み込まれている蒸気発生装置（図示せず）により蒸気を発生させ、前記フード４内に蒸気を導入するようになっているフード式頭髪処理促進装置を示している。
【００１１】
次に図２、図３および図４より本発明の具体的な説明を行うと、
図２より、１は外装カバーであり、カバー１ａおよび１ｂをネジ等で接合することにより構成されている。
１ｃは内部底面の外方から内方の下方向へ傾斜した傾斜部であり、１ｄは外装カバー１内部の底面中央部に設けられる開口部である。
また図３および図４では、内部底面に適宜間隔をもって突起部１ｅが形成されている。
５は本体内部に組み込まれる電気的諸装置を示す。
【００１２】
以上のごとくの構成により、内部に侵入した毛髪は、下方向へ落下し、内部底面部は中央に向かって下方向へ傾斜する傾斜部１ｃを有し且つ底面中央位置に開口部１ｄが設けられているため、毛髪は本体内部の底面部に溜まることなく、前記した開口部１ｄから床面に落下する。
【００１３】
さらには前記開口部１ｄからブラシ等で掃除が容易にでき、エアーブラシなどを使用して内部を清掃することもできる。
またやや長めの毛髪などは、前記した突起部１ｅにより底面部に付着することなく傾斜部１ｃから開口部１ｄへ落下するように構成されているだけでなく、外装カバーの強度を保つようにもなっている。
本実施の形態では、フード式の頭髪処理促進装置で説明したが、ヒータや遠赤外線などの頭髪処理促進装置などの外装カバーなどにも適用できるものである。
【００１４】
【発明の効果】
本発明は前記したように、底面部を外方から内方へ傾斜させ、且つ底面中央位置に開口部を設けているため、内部に侵入した毛髪は本体内部の底面部に溜まることなくもまた底面部に蓄積することがないため、毛髪等の蓄積による電気諸装置などに影響を及ぼすことはない。
また開口部を有しているため、定期的な掃除メンテナンスができ、本体内部に毛髪などが蓄積することがないため、不衛生になることはない。
【００１５】
さらには、底面部に適宜間隔の突起部を形成しているため、毛髪がこびり付かないだけでなく、外装カバーを強固に形成できるものである。
【図面の簡単な説明】
【図１】本発明に係るフード式頭髪処理促進装置の全体側面図である。
【図２】外装カバーを分解した状態の斜視図である。
【図３】外装カバーを分解した内部底面部に突起部が設けられた状態の斜視図である。
【図４】外装カバーの底部断面図である。
【図５】従来の外装カバーを分解した状態の斜視図である。
【符号の説明】
１　　　　　外装カバー
１ａ、１ｂ　カバー
１ｃ　　　　傾斜部
１ｄ　　　　開口部
１ｅ　　　　突起部
【図１】
2004089306.tif 000003
【図２】
2004089306.tif 000004
【図３】
2004089306.tif 000005
【図４】
2004089306.tif 000006
【図５】
2004089306.tif 000007
(57)【要約】【課題】かき卵の工業的な生産において、溶き卵の量が多く注加開始から注加終了まで長時間を要すこと、仕込み釜の加熱能力上調味液の温度が不均一で沸騰状態になっていない部分があること、仕込み釜において注加された溶き卵により品温が低下した調味液を再沸騰状態にするのに時間がかかること、等により溶き卵が加熱・凝固するまでに長時間がかかり、更にかき卵製造に長時間要する為、かき卵の壊れが問題になる。【解決手段】▲１▼加温した調味液に、予め４０℃〜６０℃に加温した溶き卵を注加して糸状或いは薄片状に凝固させることを特徴とするかき卵の製造方法　▲２▼上記▲１▼のかき卵を用いたことを特徴とする食品　を発明することで上記課題を解決した。【選択図】なし【特許請求の範囲】
【請求項１】
加温した調味液に、予め４０℃〜６０℃に加温した溶き卵を注加して糸状或いは薄片状に凝固させることを特徴とするかき卵の製造方法
【請求項２】
請求項１記載のかき卵を用いたことを特徴とする食品
【発明の詳細な説明】
【０００１】
【発明の属する技術分野】
本発明は壊れの少ないかき卵およびこれを用いた食品の製造方法に関する発明である。
【０００２】
【従来の技術】
従来、丼及びスープ等の食品においてかき卵を製造する場合、砂糖、醤油、みりん、カツオエキス等を配合し風味調整された調味液を沸騰状態まで加温し、そこに溶き卵を注加し溶き卵を加熱凝固させる。工業的に生産する場合においては、ポンプにより充填ノズルより射出された溶き卵を、仕込み釜において沸騰状態に加温された調味液の上面より注加する。その際糸状或いは薄片状のかき卵を作成する為に、仕込み釜の撹拌羽根で撹拌し、注加された溶き卵を程よく分散させながら加熱凝固させるのである。従って加熱凝固されたかき卵の形状は、溶き卵の射出量、調味液の温度、及び仕込み釜での撹拌方法によって変わってくるので、求める形状のかき卵を工業的に製造するには、溶き卵の射出量、調味液の温度、及び仕込み釜での撹拌方法の最適条件の設定が必要になる。ところでかき卵の壊れを少なくし外観上好ましくするには、溶き卵を出来る限り速やかに加熱・凝固させることと、更にかき卵の製造に必要な総撹拌時間を短くすることが必要である。つまり溶き卵の加熱・凝固までに時間がかかりすぎると、撹拌により必要以上に溶き卵が分散してしまい、かき卵が小さくなりすぎる。また総撹拌時間が長くなると、一旦求める形状に凝固したかき卵が不要な撹拌により壊れてしまうのである。一般家庭で調理する場合においては、調味液に注ぐ溶き卵少量であること、加熱する火力の調整が容易かつ強力で鍋全体が沸騰を保持できること、調理者の加減で撹拌等の調整ができること、等により溶き卵は短時間に加熱・凝固し、また撹拌時間も短時間である為にかき卵の壊れは大き問題とならない。しかしながら工業的な生産においては大量生産が前提の為、溶き卵の量が多く注加開始から注加終了まで長時間を要すこと、仕込み釜の加熱能力上調味液の温度が不均一で沸騰状態になっていない部分があること、仕込み釜において注加された溶き卵により品温が低下した調味液を再沸騰状態にするのに時間がかかること、等により溶き卵が加熱・凝固するまでに長時間がかかり、更にかき卵製造に長時間要する為、かき卵の壊れが問題になる。
【０００３】
【本発明が解決しようとする課題】
本発明は、従来のこのような問題点の解決を目的として創出されたものであり、壊れの少ないいかき卵の製造方法およびこれを用いた食品を提供することを目的とする。
【０００４】
【課題を解決する為の手段】
本願発明者はかき卵の製造方法について鋭利研究の結果、▲１▼加温した調味液に、予め４０℃〜６０℃に加温した溶き卵を注加して糸状或いは薄片状に凝固させることを特徴とするかき卵の製造方法　▲２▼上記▲１▼のかき卵を用いたことを特徴とする食品　を発明することで上記課題を解決した。
【０００５】
【発明の実態の形態】
以下、本発明を詳細に説明する。
【０００６】
本発明における溶き卵とは、全卵を混合し均一分散したもの、または全卵に増粘剤、砂糖、澱粉、水等の原料を添加混合し均一分散したものを指すものであり、加温した調味液に注加して凝固させたものが、かき卵としての風味・食感を保有していれば、特に全卵に混合する原料の種類、配合比には拘わらない。
【０００７】
本発明における調味液とは、目的とする食品を調整する為に、砂糖、塩、醤油、みりん、カツオエキス等各種原料を混合し溶解したものを指すものであり、特に混合原料の種類、　　配合量には拘わらない。
【０００８】
本発明におけるかき卵を用いたことを特徴とする食品とは、かき卵スープ、親子丼、等のかき卵を添加した食品である。また、これに冷凍、冷蔵、乾燥、加熱等の処理を施すことにより、より長期の保存期間を得ることができる。
【０００９】
卵のタンパク質は約６５℃でタンパク変性を生じ、凝固する。従って沸騰状態に加温した調味液に、予め４０℃〜６０℃に加温した溶き卵を注加して糸状或いは薄片状に凝固させることで、壊れの少ないかき卵を製造することが出来る。つまり４０〜６０℃に加温した溶き卵を沸騰状態の調味液中に注加することで、加温していない場合と比較して溶き卵は短時間でタンパク質の変性する６５℃以上になり、加熱・凝固する。更に溶き卵の注加によって調味液の品温が低下するが、この時の品温低下の程度も抑えられ、調味液が沸騰状態を保持しやすい為、溶き卵は短時間で加熱・凝固する。従って撹拌により必要以上に溶き卵が分散してしまい、かき卵が小さくなるようなことは無い。また溶き卵が短時間で加熱・凝固することで、結果的に短時間でかき卵製造出来、かき卵製造に要する撹拌時間も短時間になる為、求める性状に凝固したかき卵が不要な撹拌により壊れてしまうこともない。以上のことにより、かき卵の壊れを少なくし外観上好ましいかき卵を製造することが可能となる。
【００１０】
（実施例、比較例）
以下、実施例、比較例をあげて本発明をさらに詳細に説明する。
【００１１】
鶏全卵８０部、水２０部より調合した溶き卵を表１に示す配合の親子丼用調味液を用い、かき卵を作成し、兵神機械製モノポンプＮＥＬ−５０を用い充填機へ移送し、東洋自動機製パウチ自動充填包装機ＴＴ−８Ｃにてアルミパウチへ充填した後、レトルト殺菌機で加圧加熱殺菌を行った。尚、溶き卵はタンク内を加温することができるようにタンク部分が２重になったタンクを使用し、２重になったところへ温水（約８０℃）を送り込むことで加温した。親子丼用調味液はカジワラ製ミキサーＯＡＭ−１０００にて溶き卵以外の調味液部を溶解、沸騰させたところへ溶き卵をバイデル製ポンプＶＬＮ−５ＣＤ−０にて毎分３３Ｋｇで１．５インチ口径のノズルから射出させて調整した。
実施例１、実施例２、および比較例１における調味液へ注加前の溶き卵の温度および、これらのレトルト親子丼のかき卵の食感、壊れの程度を評価した結果を表２に示す。
その結果、実施例１および実施例２のかき卵は壊れも少なく、外観上良好であったが、比較例１のかき卵は壊れており、外観上好ましくなかった。
【００１２】
【表１】
2004089073.tif 000002
【００１３】
【表２】
2004089073.tif 000003
(57)【要約】【課題】本発明においては調理時に容易に水に分散、あるいは食材にからまる物性を保ったまま、固形具材及び未加熱の澱粉が均一に分散し、風味的にも優れた液状の調理食品を提供することを目的とする。【解決手段】キサンタンガムを０．１〜０．５重量％、固形具材あるいは未加熱の澱粉を１０〜５０重量％含有することを特徴とする調味ソースを提供する。【選択図】なし【特許請求の範囲】
【請求項１】
キサンタンガムを０．０５〜５．０重量％及び固形具材を１０〜５０重量％含有する調味ソース。
【請求項２】
キサンタンガムを０．０５〜５．０重量％及び未加熱の澱粉を１０〜５０重量％含有する調味ソース。
【請求項３】
加熱殺菌処理されてなる請求項１記載の調味ソース。
【発明の詳細な説明】
【０００１】
【発明が属する技術分野】
本発明は、調理時に加水する固形具材入りの調味ソース、たとえば、パスタソース、中華あわせ調味料等、また未加熱の澱粉入り液体あんかけの素等の調味ソースに関するものである。また、加水せずに直接食材とからめて使用する固形具材入り調味ソース、たとえば、中華あわせ調味料、炒め物料理用の液状ソースに関するものである。
【０００２】
【従来の技術】
従来、固形具材及び未加熱の澱粉を調味ソース中で均一に分散させるためには、調味ソース自体に、加熱してα化させた澱粉で粘度をつける方法がとられていた。しかしながら、従来の方法だと、調味ソースに必要以上の粘度がついてしまう為、最終の製品の物性が糊状となる。その為、調理の際水に分散しにくかったり、なめらかに食材にからまないという問題が生じる。また風味も澱粉臭が強くなり、好ましくない。
【０００３】
【本発明が解決しようとする課題】
そこで、本発明においては調理時に容易に水に分散、あるいは食材にからまる物性を保ったまま、固形具材及び未加熱の澱粉が均一に分散し、風味的にも優れた液状の調理食品を提供することを目的とする。
【０００４】
【課題を解決しようとする手段】
本発明は、特定量のキサンタンガムを用いることにより、上記問題を解決することができる調味ソースが得られるとの知見に基づいてなされたものである。キサンタンガムは一定した粘度を出すことができ、かつ粘度発現後の安定性も高いため、必要最小量の添加で最大の効果を引き出すことができる。澱粉を使用する場合、粘度にばらつきがある事と、α化した後の安定性がキサンタンガムほどよくない為、添加量を高目にする必要がでてくる。すなわち、本発明はキサンタンガムを０．０５〜５．０重量％、更に好ましくは０．１〜０．５重量％含有し、固形具材あるいは未加熱の澱粉を１０〜５０重量％含有することを特徴とする調味ソースを提供する。
【０００５】
【発明の実施の形態】
使用する固形具材の種類は、野菜、こんにゃく、肉等、特に制限はない。ただし、大きさについては直径２０ｍｍ以下、更には５ｍｍから１０ｍｍ程度が外観、及び分散性の両面からも好ましい。
【０００６】
未加熱の澱粉の種類は特に制限はない。澱粉の例としては、じゃがいも澱粉、タピオカ澱粉、コーン澱粉等の他、加工澱粉、未加工澱粉などがあげられる。
【０００７】
固形具材、あるいは未加熱澱粉以外のソース部は特に制限はない。ソースの例としては、醤油、みそ、肉エキス、魚介エキス、香辛料、甘味料、食用油脂、野菜、果物あるいは香料等の副資材で構成されるものがあげられる。
【０００８】
固形具材入り調味ソースに加熱殺菌処理を施す場合の処理方法は特に制限はない。殺菌方法の例としては、６０〜９５℃、５〜３０分程度の条件でホットパック処理、充填密封後に湯殺菌処理、レトルト殺菌等があげられる。
【０００９】
前記キサンタンガム濃度の調味ソースにより、適度な濃度を保ったまま、具材及び澱粉がソース中で均一に分散し、風味バランスの良い調味ソースを得ることができた。なお、キサンタンガム濃度が上記設定範囲を上回ると所望の適度な濃度が得られない。一方、上記設定範囲を下回ると具材及び澱粉がソース中で均一に分散せず沈殿してしまう。
【００１０】
本発明の調味ソースの用途としては、各種食材あるいは、水を加えて調理するすべての場合に用い得る。
【００１１】
本発明を以下の実施例によって詳細に説明する。
（実施例１）
（１）調味ソースの製造　醤油１０重量部（以下、分と略称する）、発酵調味料５部、砂糖２０部、食塩１０部、キサンタンガム０．２部、肉エキス１０部、固形具材３５部、および豆板醤５部、香辛料その他４．８部を９０℃まで加熱しながら撹拌混合した。次いで、これをコンテナに仮取りした。仮取りしていたソースを８０〜９５℃に保持した状態でパウチに充填、密封（ホットパック処理）して本発明の調味ソースを得た。
【００１２】
（２）調理例　フライパンを用いて、上記ソース６０ｇ、水１８０ｇを熱し、豆腐３５０ｇを加えて加熱後、澱粉にてとろみをつけて麻婆豆腐を得た。上記ソースは水とよく混和し、均一な麻婆豆腐ソースを得る事ができた。
【００１３】
（３）上記ソースの充填品１００袋を開封したところ、具材が均一に充填されていることが確認できた。
【００１４】
（実施例２）
（１）調味ソースの製造　醤油２０重量部（以下、分と略称する）、発酵調味料１０部、砂糖２０部、食塩５部、キサンタンガム０．３部、肉エキス１０部、および香辛料その他１９．７部を９０℃まで加熱しながら撹拌混合した。４０℃以下に冷却後未加熱の澱粉１５部を加えて撹拌混合し、これをコンテナに仮取りした。
【００１５】
（２）調理例　小鍋に、上記ソース３０ｇ、水１５０ｇをいれて混合し、加熱してあんかけを得た。上記ソースは水とよく混和し、均一でなめらかなあんかけを得る事ができた。
【００１６】
（３）上記ソースの充填品１００袋を開封したところ、未加熱澱粉が均一に充填されていることが確認できた。
【００１７】
【発明の効果】
本発明によれば、調理時に水への分散性の良さあるいは食材へのからまりやすさをたもったまま、固形具材及び未加熱の澱粉が均一に混合された調味ソースを提供することができる。
(57)【要約】【課題】軟質ルアーの内部に集魚・誘引剤を注入して徐々に外部に放出させるのに用いる集魚・誘引剤容器を得るにある。【解決手段】ペースト若しくは液状の集魚・誘引剤を収容した容器本体の容器口に基部を取り付けられる注入ノズルを備え、軟質ルアーに突き刺すことのできる同注入ノズルの先端部には容器本体の内圧で収容集魚・誘引剤を軟質ルアー中に注入する注入口が形成された集魚・誘引剤容器。【選択図】　　　　図１
2004089099.tif 000002
【特許請求の範囲】
【請求項１】
ペースト若しくは液状の集魚・誘引剤を収容した容器本体の容器口に基部を取り付けられる注入ノズルを備え、軟質ルアーに突き刺すことのできる同注入ノズルの先端部には容器本体の内圧で収容集魚・誘引剤を軟質ルアー中に注入する注入口が形成されたことを特徴とする集魚・誘引剤容器。
【請求項２】
前記容器本体は封入ガスの圧力により集魚・誘引剤を外部に噴出させる加圧スプレー容器であることを特徴とする請求項１記載の集魚・誘引剤容器。
【請求項３】
前記容器本体は手動による加圧で集魚・誘引剤を外部に押し出す手動加圧型容器であることを特徴とする請求項１記載の集魚・誘引剤容器。
【発明の詳細な説明】
【０００１】
【発明の属する技術分野】
本発明は釣り具に関し、特に、集魚や魚の誘引に用いる器具に関する。
【０００２】
【背景技術】
最近の魚釣りに際しては、エビ、アジ、稚アユなどの抽出アミノ酸エキスのペーストにを餌やエギを浸すか、または、アミノ酸エキス液に塗り、集魚や魚の誘引に用いることが多い。
【０００３】
【発明が解決しようとする課題】
しかしながら、ペーストまたはアミノ酸エキス液を表面に塗布した餌やエギを水中に投入すると、同エキスは早期に海水などに解けてしまうため、投入初期には集魚や魚の誘引効果を期待できても、直ぐにその効果を期待できなくなってしまう。
【０００４】
このため、アミノ酸エキスによる集魚・誘引を期待する場合には、頻繁に竿を上げ、アミノ酸エキスの再付着と再投入を繰り返さなければならず、煩わしさを感じる場合が多かった。
【０００５】
本発明の目的は、以上に述べたような従来の集魚・誘引剤の付着繰り返しの煩わしさの問題を解消して、軟質ルアーの内部に集魚・誘引剤を注入して徐々に外部に放出させるのに用いる集魚・誘引剤容器を得るにある。
【０００６】
【課題を解決するための手段】
この目的を達成するため、本発明は、ペースト若しくは液状の集魚・誘引剤を収容した容器本体の容器口に基部を取り付けられる注入ノズルを備え、軟質ルアーに突き刺すことのできる同注入ノズルの先端部には容器本体の内圧で収容集魚・誘引剤を軟質ルアー中に注入する注入口が形成された集魚・誘引剤容器を提案するものである。
【０００７】
後述する本発明の好ましい実施例の説明においては、
１）前記容器本体は封入ガスの圧力により集魚・誘引剤を外部に噴出させる加圧スプレー容器である集魚・誘引剤容器、
２）前記容器本体は手動による加圧で集魚・誘引剤３を外部に押し出す手動加圧型容器である集魚・誘引剤容器
が説明される。
【０００８】
【発明の実施の形態】
以下、図面について本発明の実施例の詳細を説明する。
【０００９】
図１及び図２は本発明の第１実施例を示し、図１は軟質ルアーのひとつである軟質ワームＷの場合を図示してある。即ち、この軟質ワームＷは、外形を小動物に似せて生分解ポリエステル樹脂、ポリオレフィン径樹脂、セルロース系樹脂などの軟質樹脂で柔軟に作ってある。
【００１０】
第１実施例の場合、前述した軟質ワームＷに集魚・誘引剤３を注入するため、集魚・誘引剤３を入れた加圧スプレー容器１が用意され、この加圧スプレー容器１の容器口に結合する注入ノズル２を通して軟質ワームＷの内部に集魚・誘引剤３が充填される。即ち、同加圧スプレー容器１はそのヘッド１ａを指先で押圧ことにより容器口から集魚・誘引剤３を噴出できる加圧ガス封入の圧力容器であるが、本発明においては、同様の手動ヘッドの指先による押圧操作で収容集魚・誘引剤３を噴射できる手動スプレータイプの容器を使用することもできる。
【００１１】
基端部を前述した注入口２ａに注入できる注入ノズル２は、図２に示すように、細い金属パイプから中空針として作られるもので、その先端部には集魚・誘引剤３を噴出できる注入口２ａ及び複数の放射噴口２ｂを形成してある。
【００１２】
また、図３は本発明で用いる別の注入ノズル２Ａを示し、細い金属パイプで示す同注入ノズル２Ａの先端部は先を尖らせた尖塔状頭部２ｃを有し、この尖塔状頭部２ｃに隣り合って複数の放射噴口２ｂが形成してある。
【００１３】
図示実施例による集魚・誘引剤容器は、以上のような構造であるから、注入ノズル２の先端部を軟質ワームＷの内部に深く突き刺すことができる。
したがって、注入ノズル２を軟質ワームＷに深く突き刺した後、軟質ワームＷから注入ノズル２を引き出しながら注入口２ａ及び放射噴口２ｂから集魚・誘引剤３を噴射・注入すれば、軟質ワームＷの内部に集魚・誘引剤３を注入状態におくことができる。この集魚・誘引剤３の注入操作は、角度を変えて複数回行うこともできるから、軟質ワームＷの内部に集魚・誘引剤３を充分に含ませることができる。
【００１４】
よって、内部に集魚・誘引剤３を含ませた軟質ワームＷでは、徐々に内部集魚・誘引剤３が外部に放出されるため、水中における集魚・誘引剤３による集魚・誘引効果を長時間に亘って持続することができる。このため、頻繁な竿揚げを要することなく、集魚・誘引を行うことができる。
【００１５】
なお、本発明で用いる集魚・誘引剤容器としては、前記実施例で指摘したものに限ることなく、指先による押圧でその一部が容易に変形できるスポイド状容器であってもよい。
【００１６】
【発明の効果】
以上の説明から明らかなように、本発明によれば、集魚・誘引剤容器中の集魚・誘引剤を軟質ルアーに簡単に注して、遅郊性の集魚・誘引効果を得ることができる。
【図面の簡単な説明】
【図１】本発明による集魚剤と軟質ワームとの関係を示す説明図である。
【図２】同集魚剤に用いる注入ノズルの先端拡大図である。
【図３】別の注入ノズルの図２と同様の図である。
【符号の説明】
１　　加圧スプレー容器
１ａ　ヘッド
２　　注入ノズル
２ａ　注入口
２ｂ　放射噴口
３　　集魚・誘引剤
Ｗ　　軟質ワーム
【図１】
2004089099.tif 000003
【図２】
2004089099.tif 000004
【図３】
2004089099.tif 000005
(57)【要約】【課題】釣り針衝突音や移動重りの衝突音を効果的に消音でき、しかも魚の誘引効果をも期待できる手段を得るにある。【解決手段】軟質樹脂中に魚の摂餌行動を活性化する成分を添加され、塗布具によりルアーの外面に厚みをもって塗布できるルアー釣り用軟質コート剤。【特許請求の範囲】
【請求項１】
軟質樹脂中に魚の摂餌行動を活性化する成分を添加され、塗布具によりルアーの外面に厚みをもって塗布できることを特徴とするルアー釣り用軟質コート剤。
【請求項２】
前記軟質樹脂中には魚の好む波長の光を反射させるラメ粉を添加されたことを特徴とする請求項１記載のルアー釣り用軟質コート剤。
【請求項３】
前記軟質樹脂は粘性のあるシリコーン樹脂であり、これに添加される成分はアミノ酸、イノシン酸、魚類抽出エキスから選ばれた少なくともひとつであることを特徴とする請求項１または請求項２のいずれかひとつに記載のルアー釣り用軟質コート剤。
【請求項４】
前記軟質樹脂が塗布されるルアーはイカ釣り用疑似餌であることを特徴とする請求項１から請求項３のいずれかひとつに記載のルアー釣り用軟質コート剤。
【発明の詳細な説明】
【０００１】
【発明の属する技術分野】
本発明は釣り具に関し、特に、集魚や魚の誘引に用いるルアー釣り用軟質コート剤に関する。
【０００２】
【背景技術】
周知のように、ルアー釣りに際しては、例えば小魚に似せた硬質本体の腹部及び後部の針掛けに釣り針を付けた疑似餌が用いられるが、このような硬質本体の疑似餌にあっては、ルアー操作中に釣り針が不規則に硬質本体に当たって異常音が生じ、魚に警戒心を起こさせる場合が多い。また、軟質材料の疑似餌では、このような衝突音の問題はないけれども、針掛けを設けにくく、浮力を与え難い。
【０００３】
【発明が解決しようとする課題】
また、最近では、例えば特開平１０−１７８９７２号公報に示すような軟質発砲浮力材被覆をもったルアー釣り用疑似餌が提案されている。つまり、この疑似餌においては、針掛け部などを形成する硬質補強心材の表面を軟質発砲浮力素材で被覆して魚への触感を改善したもので、軟質発砲浮力素材の内部には浮き室及び移動重りが内蔵されている。
【０００４】
しかしながら、この改良された疑似餌においても、ルアー操作中の釣り針の不規則な衝突音が解消されないばかりか、移動重りの移動衝突による異常音が別に発生し、魚に新たな警戒心を起こさせている。
【０００５】
本発明の目的は、以上に述べたような従来のルアー操作時の問題に鑑み、釣り針衝突音や移動重りの衝突音を効果的に消音でき、しかも魚の誘引効果をも期待できる手段を得るにある。
【０００６】
【課題を解決するための手段】
この目的を達成するため、本発明は、軟質樹脂中に魚の摂餌行動を活性化する成分を添加され、塗布具によりルアーの外面に厚みをもって塗布できるルアー釣り用軟質コート剤を提案するものである。
【０００７】
後述する本発明の好ましい実施例の説明においては、
１）前記軟質樹脂中には魚の好む波長の光を反射させるラメ粉を添加されたルアー釣り用軟質コート剤、
２）前記軟質樹脂は粘性のあるシリコーン樹脂であり、これに添加される成分はアミノ酸、イノシン酸、魚類抽出エキスから選ばれた少なくともひとつであるルアー釣り用軟質コート剤、
３）前記軟質樹脂が塗布されるルアーはイカ釣り用疑似餌であるルアー釣り用軟質コート剤
が説明される。
【０００８】
【発明の実施の形態】
以下、本発明によるルアー釣り用軟質コート剤の実施例を説明する。
【０００９】
−実施例１−
この実施例１においては、粘度が約：５である軟質シリーコン樹脂中に魚の摂餌行動を活性化する成分としてエビからのアミノ酸抽出エキスを均一に混和し、少量の嫌気性硬化剤を添加しててルアー釣り用軟質コート剤を作成し、小型広口ビンに入れた。
【００１０】
このルアー釣り用軟質コート剤を樹脂へらで硬質ルアーの表面に略０．５ｍｍの厚みに塗った。このへら塗り操作は、粘度が同程度であれば不用意に周囲に滴下することなく、塗布できたが、塗布後の約３０秒程度の放置により塗布表面が僅かに硬化し、触感では、肉質の柔らかな表面層となった。
これを水中に投入して観察したところ、混和したアミノ酸抽出エキスが徐々に水中に解け出すことがわかった。
【００１１】
また、ルアー釣り用コート剤を塗った硬質ルアーを空気中に取り出し、手で前後・左右に急に揺すったが、硬質ルアーに付けた釣り針がルアー本体に接触する音や衝撃はほとんど観測できなかった。これは衝動する釣り針の先端は軟質のルアー釣り用コート剤に接触して緩衝されるため、ルアー本体に接触する際の鋭い接触音の発生はないためと思われる。
【００１２】
−実施例２−
この実施例２においては、粘度が約：７である軟質シリーコン樹脂中に水溶アミノ酸を１０％（容積％）及び少量のラメ粉を均一に混和し、少量の嫌気性硬化剤を添加しててルアー釣り用軟質コート剤を作成した。
このルアー釣り用軟質コート剤を実施例１と同様に広口ビンに入れ、樹脂へらで前述した特開平１０−１７８９７２号公報のルアーの表面に略０．５ｍｍの厚みに塗った。このへら塗り操作は、周囲に滴下することなく、軽快に塗布できたが、塗布後の約３０秒程度の放置により塗布表面が僅かに硬化し、触感では、肉質の柔らかな表面層となった。
【００１３】
また、ルアー釣り用軟質コート剤を塗布したルアーを水中に投入して観察したところ、混和したアミノ酸は徐々に水中に解け出すけれども、ラメ粉は軟質シリコーン樹脂中に残留することがわかった。
そして、ルアー釣り用コート剤を塗った同ルアーを空気中に取り出し、手で前後・左右に急に揺すったが、同ルアーに付けた釣り針がルアー本体に接触する音や移動重りの振動はほとんど観測できなかった。この消音効果は軟質のルアー釣り用コート剤の接触による釣り針の緩衝ばかりでなく、ルアー本体の略全表面が軟質のルアー釣り用コート剤で覆われているため、ルアー本体中での移動重りの振動がルアー釣り用コート剤層で減衰され、外部ではほとんど感じられなくなるためと思われる。
【００１４】
なお、本発明のルアー釣り用軟質コート剤には、魚の摂餌行動を活性化する成分として知られるイノシン酸を軟質シリコーン樹脂や他の難水溶性樹脂に混和してもよく、使用できる軟質シリコーン樹脂としては粘度：１０程度のものであることができる。
【００１５】
また、本発明のルアー釣り用軟質コート剤は、エギ、スッテ、イカズノなどのイカ釣り用疑似餌の表面に塗布して用いることもできる。
【００１６】
【発明の効果】
以上の説明から明らかなように、硬質のルアー本体などの表面に塗布するだけで、釣り針衝突音や移動重りの衝突音を効果的に消音でき、水中で軟質樹脂から徐々に解け出す誘引効果成分やラメによる誘引効果をも期待できる。また、本発明のルアー釣り用軟質コート剤を塗布したルアーの表面は魚に近い弾力性をもったものになるため、魚が喰らいついた瞬間に違和感がなく、瞬間的な口開放による釣り落としが少なくなる。
そして、本発明のルアー釣り用コート剤をイカ釣り用疑似餌にコートして用いる場合、生き物に近い味と触感になるため、摂餌行動をより活性化させて、確実に疑似餌を抱き込ますことができ、釣り落としを少なくして多くの釣果を得ることができる。